(57)【要約】【課題】建築物の角部で２つの壁面がなす任意の角度に対応できることで、連結具のコストを低減できる枠体の提供を目的とする。【解決手段】連結具２１は、厚さ寸法が同一で四角状の板材からなる連結部材２１ａ，２１ｂ，２１ｃを組み合わせて形成されている。連結部材２１ａと連結部材２１ｃとで、連結具２１の交差する２つの腕の一方を形成し、また、連結部材２１ｂが、連結具２１の交差する２つの腕の他方を形成している。そして、連結部材２１ｂ，２１ｃの右下角に、連結部材２１ｂを連結部材２１ｃに回動自在に取り付けるための軸部材２１ｄが設けられている。また、連結部材２１ｂと連結部材２１ｃとは、連結部材２１ｂと連結部材２１ｃとが重なる部分で、ドリリングタッピングネジ２１ｅにより、相互に固定されている。【選択図】        図２
2014006296.tif 000002
【特許請求の範囲】
【請求項１】
一方側部材と他方側部材とを、それらが角度をもって連結する連結具を有する枠体であって、
連結具が、
一方側部材の一端部に取り付けられた一方側連結部材と、
他方側部材の一端部に取り付けられた他方側連結部材と、
一方側連結部材と他方側連結部材とを回動自在に軸支するとともに、この回動で一方側部材と他方側部材とが干渉しない位置に設けられた軸部材と、
一方側部材と他方側部材とが所定角度をなした状態で、一方側連結部材と他方側連結部材とが重なり合う部分で一方側連結部材と他方側連結部材とを固定する固定部材とを備え、
一方側部材の一方側連結部材への取付面と、他方側部材の他方側連結部材への取付面とが面一であることを特徴とする枠体。
【請求項２】
請求項１記載の枠体を有することを特徴とする看板。
【発明の詳細な説明】
【技術分野】
【０００１】
本発明は、一方側部材と他方側部材とを、それらが角度をもって連結する連結具を有する枠体、及び、その枠体を有する看板に関する。
【背景技術】
【０００２】
従来、商業ビルや店舗などの建築物の壁面に直接設置するタイプの看板には、例えばアルミ合金などの金属素材で組んで形作った看板の枠体を壁面に取り付け、その枠体に、例えばプラスチックパネルなどからなり広告内容や案内内容等を表示する表示パネルを蝶番などを介して取り付けたり、あるいは、広告内容や案内内容等が印刷されたシートを張り渡すようにしたものが実用されている。
【０００３】
また、このような看板は、壁面、枠体及び表示パネルあるいはシートで囲まれる空間に、例えば、蛍光灯などの照明器具を収容し、夜間など周囲が暗くなった状況では、その照明器具を点灯して表示パネルあるいはシートを裏側から照明し、表示パネルあるいはシートを明るく照らすことで、周囲が暗くなっていても表示パネルあるいはシートの表示内容等を視認できるようにして、夜間などでも看板が広告や案内板等として機能できるようにしている。
【０００４】
ところで、建築物の角部に設けられる看板、すなわち、建築物の角部をなす２つの壁面の両方に渡って設けられる看板は、建築物の角部で、一方の壁面に取り付けられる一方側枠体と、他方の壁面に取り付けられる他方側枠体とを連結しており、その連結箇所には、これらの一方側枠体及び他方側枠体を連結する連結具（特許文献１参照；図３のコーナー金具２３）を設けている。
【０００５】
ここで、建築物の角部で２つの壁面がなす角度は、その建築物の外観（デザイン）や施工法に応じた任意の角度（通常は、９０度〜１７０度程度）となる。したがって、従来は、一方の壁面に取り付けられる一方側枠体と、他方の壁面に取り付けられる他方側枠体とを連結する連結具を、それらの２つの壁面がなす角度に応じて製造していた。
【０００６】
このように、従来は、２つの壁面がなす角度毎に専用の連結具を製造して在庫管理する必要があり、その結果、連結具のコストが高くなるという問題があった。
【先行技術文献】
【特許文献】
【０００７】
【特許文献１】特開２００５−３７８０号公報
【発明の概要】
【発明が解決しようとする課題】
【０００８】
この発明は以上に述べた実情に鑑み、建築物の角部で２つの壁面がなす任意の角度に対応できることで、連結具のコストを低減できる枠体の提供を目的とする。また、その枠体を有する看板を提供することも目的とする。
【課題を解決するための手段】
【０００９】
この発明は、一方側部材と他方側部材とを、それらが角度をもって連結する連結具を有する枠体であって、連結具が、一方側部材の一端部に取り付けられた一方側連結部材と、他方側部材の一端部に取り付けられた他方側連結部材と、一方側連結部材と他方側連結部材とを回動自在に軸支するとともに、この回動で一方側部材と他方側部材とが干渉しない位置に設けられた軸部材と、一方側部材と他方側部材とが所定角度をなした状態で、一方側連結部材と他方側連結部材とが重なり合う部分で一方側連結部材と他方側連結部材とを固定する固定部材とを備え、一方側部材の一方側連結部材への取付面と、他方側部材の他方側連結部材への取付面とが面一であることを特徴とする。
また、看板が、そのような枠体を有することも特徴とする。
【発明の効果】
【００１０】
本発明の枠体によれば、建築物の角部で２つの壁面がどのような角度をなす場合であっても、一種類の連結具で、それぞれの壁面に取り付けられた一方側枠体と他方側枠体とを連結することができるので、連結具のコストを低減することができる。
【図面の簡単な説明】
【００１１】
【図１】本発明の一実施例にかかる看板の概略構成を示した概略斜視図である。
【図２】一方側枠体ＦＡ及び他方側枠体ＦＢの上辺側に設けられる連結具２１の構成の一例を示した概略平面図である。
【図３】連結具２１の構成の一例を示した概略断面図である。
【図４】連結部材２１ａと連結部材２１ｂとのなす角度を１３５度にした場合の連結具２１の構成例を示す概略平面図である。
【図５】一方側枠体ＦＡ及び他方側枠体ＦＢの上辺側に設けられる連結具の構成の他の例（連結具２１’）を示した概略平面図である。
【図６】連結具２１’の構成の一例を示した概略断面図である。
【発明を実施するための形態】
【００１２】
以下、添付図面を参照しながら、この発明の実施の形態を詳細に説明する。
〔実施例〕
図１は、本発明の一実施例にかかる看板の概略構成を示した概略斜視図である。
同図において、建築物の２つの壁面ＷＡと壁面ＷＢとで形成された角部ＣＣに設けられた看板は、２つの壁面ＷＡ，ＷＢの一方の壁面ＷＡに取り付けられた一方側枠体ＦＡと、他方の壁面ＷＢに取り付けられた他方側枠体ＦＢと、一方側枠体ＦＡの上辺を構成する枠部材１と他方側枠体ＦＢの上辺を構成する枠部材１１とを連結する連結具２１と、一方側枠体ＦＡの下辺を構成する枠部材３と他方側枠体ＦＢの下辺を構成する枠部材１３とを連結する連結具２２と、蝶番５，６により一方側枠体ＦＡに回動自在に取り付けられた開閉枠ＦＡａと、蝶番１５，１６により他方側枠体ＦＢに回動自在に取り付けられた開閉枠ＦＢａと、開閉枠ＦＡａの表示面に取り付けられたプラスチックパネル部材４と、他方側枠体ＦＢａの表示面に取り付けられたプラスチックパネル部材１４と、壁面ＷＡ，ＷＢ、一方側枠体ＦＡ、他方側枠体ＦＢ、開閉枠ＦＡａ，ＦＢａ及びプラスチックパネル部材４，１４により囲まれる密閉空間内に収容された照明器具等（図示略）から構成されている。そして、一方側枠体ＦＡと他方側枠体ＦＢとを合わせて、看板の枠体ＦＬが形成される。
【００１３】
ここで、一方側枠体ＦＡは、上辺を構成する長尺な枠部材１と、下辺を構成する長尺な枠部材３と、縦辺を構成する長尺な枠部材２とを組み合わせ、建築物の角部ＣＣ側が開口した型枠をなすように、壁面ＷＡに取り付けたものであり、枠部材１，２，３は、それぞれアルミ合金などの金属材料で形成されている。
【００１４】
また、他方側枠体ＦＢは、上辺を構成する長尺な枠部材１１と、下辺を構成する長尺な枠部材１３と、縦辺を構成する長尺な枠部材１２とを組み合わせ、建築物の角部ＣＣ側が開口した型枠をなすように壁面ＷＢに取り付けたものであり、枠部材１１，１２，１３は、それぞれアルミ合金などの金属材料で形成されている。
【００１５】
ここで、角部ＣＣで枠部材１（一方側部材）と枠部材１１（他方側部材）とが出会う部分は、後述するように、角部ＣＣで壁面ＷＡと壁面ＷＢとがなす角度に応じた角度で枠部材１と枠部材１１の先端がおのおのカットされており、枠部材１と枠部材１１とがぴったりと突き合わされるようになっている。同様に、角部ＣＣで枠部材３と枠部材１３とが出会う部分は、角部ＣＣで壁面ＷＡと壁面ＷＢとがなす角度に応じた角度で枠部材３と枠部材１３の先端がおのおのカットされており、枠部材１と枠部材１１とがぴったりと突き合わされるようになっている。
【００１６】
そして、連結具２１は、角部ＣＣで壁面ＷＡと壁面ＷＢとがなす角度に応じた角度で交差する２つの腕（一方側連結部材及び他方側連結部材）を有し、その一方の腕の端部には一方側枠体ＦＡの枠部材１の長手方向の一方の端部が取り付けられ、また他方の腕の端部には他方側枠体ＦＢの枠部材１１の長手方向の一方の端部が取り付けられる。したがって、枠部材１と枠部材１１は、壁面ＷＡと壁面ＷＢとがなす角度に応じた角度をもって、連結具２１により連結される。ここで、連結具２１は、枠部材１，２，３と同様のアルミ合金などの金属材料で形成されている。
【００１７】
また、連結具２２は、角部ＣＣで壁面ＷＡと壁面ＷＢとがなす角度に応じた角度で交差する２つの腕を有し、その一方の腕の端部には一方側枠体ＦＡの枠部材３の長手方向の一方の端部が取り付けられ、また他方の腕の端部には他方側枠体ＦＢの枠部材１３の長手方向の一方の端部が取り付けられる。したがって、枠部材３と枠部材１３は、壁面ＷＡと壁面ＷＢとがなす角度に応じた角度をもって、連結具２２により連結される。ここで、連結具２２は、枠部材１１，１２，１３と同様のアルミ合金などの金属材料で形成されている。
【００１８】
そして、開閉枠ＦＡａは、一方側枠体ＦＡの枠部材１，２，３をそれぞれ幅方向に延長する長尺な枠部材１ａ，２ａ，３ａを組み合わせて形作られており、枠部材１ａが一方側枠体ＦＡの枠部材１に蝶番５，６を介して取り付けられている。それにより、開閉枠ＦＡａは、枠部材１ａが枠部材１に当接する端部を中心に、上方向に回動して開く。
【００１９】
また、開閉枠ＦＢａは、他方側枠体ＦＢの枠部材１１，１２，１３をそれぞれ幅方向に延長する長尺な枠部材１１ａ，１２ａ，１３ａを組み合わせて形作られており、枠部材１１ａが他方側枠体ＦＢの枠部材１１に蝶番１５，１６を介して取り付けられている。それにより、開閉枠ＦＢａは、枠部材１１ａが枠部材１１に当接する端部を中心に、上方向に回動して開く。
【００２０】
ここで、角部ＣＣで枠部材１ａと枠部材１１ａとが出会う部分は、枠部材１と枠部材１１とが出会う部分と同様に、角部ＣＣで壁面ＷＡと壁面ＷＢとがなす角度に応じた角度で枠部材１と枠部材１１の先端がおのおのカットされており、それにより、枠部材１ａと枠部材１１ａとが突き合わされるようになっている。同様に、角部ＣＣで枠部材３と枠部材１３とが出会う部分は、枠部材１と枠部材１１とが出会う部分と同様に、角部ＣＣで壁面ＷＡと壁面ＷＢとがなす角度に応じた角度で枠部材３と枠部材１３の先端がおのおのカットされており、枠部材３と枠部材１３とが突き合わされるようになっている。
【００２１】
そして、開閉枠ＦＡａの表示面に取り付けられたプラスチックパネル部材４と、開閉枠ＦＢａの表示面に取り付けられたプラスチックパネル部材１４は、角部ＣＣに対応する端部で、互いに組み合わされて閉じるように形成されている。
【００２２】
このようにして、壁面ＷＡ，ＷＢ、一方側枠体ＦＡ、他方側枠体ＦＢ、開閉枠ＦＡａ，ＦＢａ、及び、プラスチックパネル部材４，１４により形成される密閉空間は、開閉枠ＦＡａ，ＦＢａの少なくとも一方が開くことにより開放され、それにより、その密閉空間の内部に照明器具等（図示略）を設置したり、設置した照明器具等を交換する等の作業を行うことができる。
【００２３】
そして、プラスチックパネル部材４，１４の表示面には、任意の広告や案内などの内容（立体的形状を含む）が形成されていて、開閉枠ＦＡａ，ＦＢａが閉じた状態では、それらの広告や案内が提示される。
【００２４】
ここで、プラスチックパネル部材４の表示面とプラスチックパネル部材１４の表示面のそれぞれに、広告や案内などの内容（立体的形状を含む）の一部を形成することで、プラスチックパネル部材４の表示面とプラスチックパネル部材１４の表示面とを合わせた状態で、単一のあるいは一連の広告や案内などの内容（立体的形状を含む）を完成して表示することができるが、プラスチックパネル部材４の表示面とプラスチックパネル部材１４の表示面に、おのおの異なる内容を形成することもできる。
【００２５】
なお、任意の広告や案内などの内容（立体的形状を含む）は、通常、プラスチックパネル部材４，１４の表面に形成されるが、プラスチックパネル部材４，１４を透明な材料から形成した場合などでは、裏面（上述した密閉空間の内側の面）に任意の広告や案内などの内容（立体的形状を含む）を形成してもよい。
【００２６】
図２は、一方側枠体ＦＡ及び他方側枠体ＦＢの上辺側に設けられる連結具２１の構成の一例を示した概略平面図であり、図３は、連結具２１の構成の一例を示した概略側面図である。なお、一方側枠体ＦＡ及び他方側枠体ＦＢの下辺側に設けられる連結具２２は、連結具２１と同様の構成なので、その説明を省略する。
なお、図２及び図３では、角部ＣＣで壁面ＷＡと壁面ＷＢとがなす角度が９０度である場合の、連結具２１の構成を例示している。また、それにより、枠部材１の先端と枠部材１１の先端がそれぞれ４５度の角度をもってカットされており、枠部材１と枠部材１１とを突き合わせると、隙間無く一方側枠体ＦＡと他方側枠体ＦＢが連続するようになっている。
【００２７】
図において、連結具２１は、厚さ寸法が同一で所定寸法の長方形の板材からなる連結部材２１ａ，２１ｂ，２１ｃを組み合わせて形成されている。
連結部材２１ａは、一方側枠体ＦＡの枠部材１の一方の端部（この場合は長手方向の端部）に、適宜な間隔で設けられたネジ止めＨ１，Ｈ２，Ｈ３，Ｈ４により取り付けられている。
【００２８】
また、連結部材２１ｂは、他方側枠体ＦＢの枠部材１１の一方の端部（この場合は長手方向の端部）に、適宜な間隔で設けられたネジ止めＨ１１，Ｈ１２，Ｈ１３，Ｈ１４により取り付けられている。
【００２９】
連結部材２１ｃは、連結部材２１ａと連結部材２１ｂとが所定の角度をなす状態に、連結部材２１ａと連結部材２１ｂとを固定するための部材である。ここで、連結部材２１ａの短手方向の寸法と、連結部材２１ｃの短手方向の寸法とが同一にされていて、連結部材２１ａと連結部材２１ｃは、その短手方向の端部が重なり合うように位置合わせされ、その状態で、連結部材２１ａは、ネジ止め２１ｆ，２１ｇにより連結部材２１ｃに固定される。このように、連結部材２１ｃは連結部材２１ａを延長していて、連結部材２１ａと連結部材２１ｃとが一体的に動く。
すなわち、連結部材２１ａと連結部材２１ｃとで、連結具２１の交差する２つの腕の一方（一方側連結部材）を形成し、また、連結部材２１ｂが、連結具２１の交差する２つの腕の他方（他方側連結部材）を形成している。
【００３０】
ここで、連結具２１に取り付けた状態で、連結部材２１ａに取り付けた枠部材１の面（取付面）と連結部材２１ｂに取り付けた枠部材１１の面（取付面）とを同一高さの面一にするために、枠部材１に取り付けられる連結部材２１ａと枠部材１１に取り付けられる連結部材２１ｂの厚さ寸法を同一にしている。また、そのため、連結部材２１ａと連結部材２１ｂとを連結する連結部材２１ｃの厚さ寸法は、連結部材２１ａ，２１ｂと同一でなくても良い。ただし、連結部材２１ｃの製造コストを下げるためには、連結部材２１ａ，２１ｂ，２１ｃを全て同一厚さ寸法にすることが好ましい。
【００３１】
この実施例では、図２において、連結部材２１ｂ，２１ｃの右下角に、連結部材２１ｂを連結部材２１ｃに回動自在に取り付けるための軸部材２１ｄが設けられている。また、連結部材２１ｂと連結部材２１ｃとは、連結部材２１ｂと連結部材２１ｃとが重なる部分で、ドリリングタッピングネジ２１ｅにより、相互に固定されている。
【００３２】
次に、連結具２１における上述した２つの腕のなす角度の調整について説明する。
上述のように、連結部材２１ａが連結部材２１ｃと一体的に動くので、軸部材２１ｄを中心に、連結部材２１ｂに対して連結部材２１ｃを回動させることで、連結部材２１ａと連結部材２１ｂとが、任意の角度をなすように動かすことができる。そして、連結部材２１ａと連結部材２１ｂとのなす角度が所望の角度（すなわち、枠部材１と枠部材１１とがなす角度）となった状態で、連結部材２１ｃと連結部材２１ｂとが重なる部分に、ドリリングタッピングネジ２１ｅを連結部材２１ｃ及び連結部材２１ｂにネジ込むことにより、連結部材２１ｂと連結部材２１ｃとを相互に固定する。
【００３３】
ところで、連結部材２１ｃを連結部材２１ｂに対して回動させたとき、連結部材２１ｂに、連結部材２１ｃと一体に動く連結部材２１ａが干渉すると、連結部材２１ａと連結部材２１ｂとの角度を任意の角度に設定することができない。
そこで、そのような事態をあらかじめ回避するためには、連結部材２１ｃを連結部材２１ｂに対して回動させたときに、連結部材２１ｃと一体に動く連結部材２１ａと連結部材２１ｂとが干渉しないように、例えば、軸部材２１ｄの取付位置を設定するとよい。
【００３４】
例えば、図２及び図３は、連結部材２１ａと連結部材２１ｂとがなす角度が９０度以上の場合に対応できるように、連結部材２１ｃを連結部材２１ｂに対して回動させる際、連結部材２１ｂの右上角が、連結部材２１ａの下辺に当たらないように、軸部材２１ｄの取付位置を、連結部材２１ｃの右下角隅に設定している。
【００３５】
この場合、軸部材２１ｄの回動中心から連結部材２１ｂの右上角までの腕を想定し、軸部材２１ｄの回動中心を中心としてこの腕を回動したときに、腕の先端が連結部材２１ａの下辺に当たらなければ、連結部材２１ａと連結部材２１ｂとは干渉しないと考えて良い。
【００３６】
このように、連結部材２１ａと連結部材２１ｂとの干渉具合は、連結部材２１ｃの右上角から連結部材２１ａの下辺までの距離と、軸部材２１ｄの取付位置との兼ね合いによるので、軸部材２１ｄの取付位置が制限される場合には、連結部材２１ｃの右上角から連結部材２１ａの下辺までの距離を調整することで、連結部材２１ａと連結部材２１ｂとが干渉しない状態にすることができる。
例えば、連結部材２１ａと連結部材２１ｂとの隙間をなるべく小さくする場合、図２に示したように、軸部材２１ｄの取付位置を、連結部材２１ｃの右下角隅に設定することが好ましい。
【００３７】
上述のように、図２及び図３では、連結部材２１ａと連結部材２１ｂとがなす角度が９０度の場合、すなわち、角部ＣＣで壁面ＷＡと壁面ＷＢとがなす角度に応じて枠部材１と枠部材１１とがなす角度が、９０度の場合について示している。
【００３８】
そして、図４は、角部ＣＣで壁面ＷＡと壁面ＷＢとがなす角度が１３５度の場合について示している。この場合は、枠部材１の先端と枠部材１１の先端がそれぞれ６７．５度の角度をもってカットされており、枠部材１と枠部材１１とを突き合わせると、隙間無く一方側枠体ＦＡと他方側枠体ＦＢが連続するようになっている。
図４の場合には、連結部材２１ａと連結部材２１ｂとがなす角度が１３５度になるように、軸部材２１ｄを中心に連結部材２１ａを右方向へ回動し、その状態で、ドリリングタッピングネジ２１ｅを連結部材２１ｃと連結部材２１ｂとの重なり部分にネジ込むことにより、連結部材２１ｂと連結部材２１ｃとを相互に固定している。
【００３９】
ところで、連結部材２１ａと連結部材２１ｂとがなす角度を９０度よりも小さい鋭角にする場合には、図２において、軸部材２１ｄを中心に連結部材２１ｃを左方向へ回動すればよい。その場合、連結部材２１ａの左下角が連結部材２１ｂの上辺に当接するまでの回動角度量が大きいほど、連結部材２１ａと連結部材２１ｂとがなす角度をより小さい角度（すなわち、より鋭角）にすることができる。
【００４０】
そこで、連結部材２１ａと連結部材２１ｂとがなす角度をより小さい角度にする場合には、連結部材２１ａと連結部材２１ｂとの距離を大きくして、連結部材２１ａの左下角が連結部材２１ｂの上辺に当接するまでに連結部材２１ｃが回動する角度が、より大きくなるようにすると良い。
【００４１】
以上説明したように、本実施例では、１種類の連結具２１により、角部ＣＣにおいて壁面ＷＡと壁面ＷＢとがなす角度に応じて枠部材１と枠部材１１がなす角度のほぼ全ての範囲に対応することができるので、従来のように、角部ＣＣにおいて壁面ＷＡと壁面ＷＢとがなす角度に応じた連結具を多数種類製造したり保管・管理する必要が無く、それにより、連結具のコストを大幅に低減できる。また、このような連結具を用いる枠体、および、その枠体を用いる看板のコストも大幅に低減することができる。
【００４２】
また、連結具２１で連結される枠部材１と枠部材１１は、上述のように、面一になるので、連結具２１により連結される一方側枠体ＦＡと他方側枠体ＦＢとの上辺の高さが揃い、このような一方側枠体ＦＡ及び他方側枠体ＦＢからなる枠体ＦＬを用いた看板の美観が良好で意匠性に優れる。
【００４３】
ところで、上述した実施例では、連結部材２１ａをネジ止め２１ｆ，２１ｇにより連結部材２１ｃに固定することで、連結部材２１ａと連結部材２１ｃとを一体化し、連結部材２１ａと連結部材２１ｃとで、連結具２１の交差する２つの腕の一方を形成していたが、この連結部材２１ａと連結部材２１ｃとを１つの部材で形成することができる。
【００４４】
図５及び図６は、本発明の他の実施例にかかる連結具の一例を示している。なお、同図に示した連結具２１’は、図２及び図３に示した連結具２１に対応するものであり、連結具２１の部分と対応する部分には、対応した符号（ダッシュ（’）付き）を付して、説明を省略する。また、図２及び図３に示した実施例と同様に、図５及び図６には、枠部材１と枠部材１１とを連結するための連結具２１’のみを示し、枠体３と枠体１３とを連結するための連結具については、連結具２１’と同様の構成なので、説明を省略する。
【００４５】
図において、連結部材２１ａ’は、連結具２１で枠部材１に取り付けられる連結部材２１ａに対応する部分と、連結部材２１ｃに対応する部分と、それらの部分を連結する屈曲部２１ｈ’から構成される。
【００４６】
ここで、屈曲部２１ｈ’では、連結部材２１ａ’が取り付けられた枠部材１と、連結部材２１ｂ’が取り付けられた枠部材１１とが面一になるように、連結部材２１ａに対応する部分を、連結部材２１ｃに対応する部分に対し、連結部材２１ｂ’の厚さ寸法に応じて厚さ方向に一段下げて、それらの部分を連絡している。
【００４７】
また、屈曲部２１ｈ’では、軸部材２１ｄ’を中心に連結部材２１ａ’を回動させたときに、連結部材２１ｂ’と連結部材２１ａ’とが干渉しないように、連結部材２１ｂ’の上辺と、連結部材２１ａ’が屈曲部２１ｈ’に立ち上がる端部との間に間隙を設けている。
なお、この間隙の寸法と軸部材２１ｄ’の位置などの関係については、連結部材２１ａ’と連結部材２１ｃ’とがなす角度が９０度より大きい場合と、小さい場合とで、それぞれ図２及び図３に示した実施例において、連結部材２１ｃの右上角から連結部材２１ａの下辺までの距離と、軸部材２１ｄの取付位置との関係と同様の関係になるので、ここでは説明を省略する。
【００４８】
以上のように、この実施例では、連結部材２１ａ’と連結部材２１ｃ’との２つの部材により連結具２１’を構成しているので、連結具２１’を構成する部品点数を少なくすることができ、したがって、一方側枠体ＦＡと他方側枠体ＦＢとを連結する連結具を保管・管理するコスト等をより削減することができる。
【００４９】
なお、上述した各実施例は、表示面としてプラスチックパネル部材を用いた看板に適用する場合について説明したが、広告や案内などを表示するシート部材を表示面に用いた看板についても、本発明を同様にして適用することができる。
【産業上の利用可能性】
【００５０】
本発明は、壁面などの角部に取り付けられる看板の枠体であれば、どのような種類のものであっても、同様にして適用することができる。また、本発明の連結具は、笠木のコーナー部分あるいは手すりのコーナー部分についても、同様にして適用することができる。
【符号の説明】
【００５１】
１，１ａ，２，２ａ，３，３ａ，１１，１１ａ，１２，１２ａ，１３，１３ａ  枠部材
４，１４  プラスチックパネル部材
５，６，１５，１６  蝶番
２１，２１’，２２  連結具
２１ａ，２１ａ’，２１ｂ，２１ｂ’，２１ｃ  連結部材
２１ｄ，２１ｄ’  軸部材
２１ｅ，２１ｅ’  ドリリングタッピングネジ
ＦＬ  枠体
ＦＡ  一方側枠体
ＦＢ  他方側枠体
ＦＡａ，ＦＢａ  開閉枠
【図１】
2014006296.tif 000003
【図２】
2014006296.tif 000004
【図３】
2014006296.tif 000005
【図４】
2014006296.tif 000006
【図５】
2014006296.tif 000007
【図６】
2014006296.tif 000008